(57)【特許請求の範囲】
【請求項１】
混合することにより反応を生ずる第１液と第２液とを混在させた上で頭髪に塗布するための用具であって、
支持部と、
その支持部の表面から所定の間隔で互いに平行に突出する複数本の歯とを備えており、
前記支持部が、第１液を通す第１通路と、第２液を通す第２通路とを有しており、
前記複数本の歯が、側面に第1液を噴出する第１開口部を有する第１の歯と、側面に第２液を噴出する第２開口部を有する第２の歯とからなり、第１の歯と第２の歯とが実質的に交互に配列されており、
前記第１開口部と第２開口部とが互いに対向しており、
前記第１通路が第１開口部と連通し、第２通路が第２開口部と連通している、２液反応染毛剤の塗布用具。
【請求項２】
混合することにより反応を生ずる第１液と第２液とを混在させた上で頭髪に塗布するための用具であって、
支持部と、
その支持部の表面から所定の間隔で互いに平行に突出する３本以上の歯とを備えており、
前記支持部が、第１液を通す第１通路と、第２液を通す第２通路とを有しており、
前記支持部の歯と歯の間に、第1液を噴出する第１開口部と、第２液を噴出する第２開口部とが、一対ずつ交互に、互いに対向するように配列されており、
前記第１通路が第１開口部と連通し、第２通路が第２開口部と連通している、２液反応染毛剤の塗布用具。
【請求項３】
請求項１または２記載の塗布用具と、そのバルブが塗布用具の支持部の第１通路と連結される、第１液を充填した第１エヤゾール装置と、そのバルブが塗布用具の第２通路と連結される、第２液を充填した第２エヤゾール装置と、前記第１エヤゾール装置と第２エヤゾール装置のバルブを同時に操作するバルブ操作手段とを備えている２液混合用の塗布装置。
【請求項４】
前記２個のエヤゾール装置が互いに結束されると共に、前記塗布用具がエヤゾール装置の上端近辺に取り付けられており、第１通路が第１エヤゾール装置と連通し、第２通路が第２エヤゾール装置と連通している請求項３記載の塗布装置。
【請求項５】
前記塗布用具が各エヤゾール装置に対し、第１通路が第１エヤゾール装置と連通し、第２通路が第２エヤゾール装置と連通するように着脱自在ないし折り畳み自在に取り付けられている請求項４記載の塗布装置。
【請求項６】
前記塗布用具がエヤゾール装置に対し、第１通路と第１エヤゾール装置の連通が維持され、第２通路と第２エヤゾール装置の連通が維持される状態で、少なくとも２以上の角度で係止できるように回動自在に連結されている請求項４記載の塗布装置。
【請求項７】
前記塗布用具の第１通路および第２通路が、それぞれ第１エヤゾール装置および第２エヤゾール装置のバルブと可撓性のチューブを介して連結されている請求項３記載の塗布装置。
【発明の詳細な説明】
【０００１】
【発明の属する技術分野】
本発明は、２液反応製剤の塗布用具およびそれを用いた塗布装置に関する。なお本明細書にいう「液」とは、吐出時に発泡させて泡状にした泡状体を中心とするが、とくに断らない限り通常の粘性が低い液に増粘剤を入れてジェル状ないしクリーム状にしたものを含むものであり、さらに、通常の粘性が低い液をも含む概念である。また「混在」とは、粘性の低い２種類の液体を均一に混合する操作、およびその操作によって得られた状態の他、泡状、ジェル状ないしクリーム状の液、あるいは粘性が高い液体を互いに混ぜ合わせようとする操作、およびそれによって得られるまだ均一に至っていない状態を含む概念である。
【０００２】
【従来の技術】
従来より、酸性染料などを含有する第１液と、酸化剤などを含有する第２液とを別々の容器に充填しておき、２液を容器などに移し替えて攪拌した上で毛髪に塗布する２液混合型の染毛剤が知られている。市販の染毛剤では、一般的に第１液と第２液は、別個のチューブやエヤゾール装置などの容器に充填され、毛髪へ塗布する専用の櫛またはブラシが添付されている。このものにおいては、２液が泡状ないしクリーム状などの場合は、容器などから出した状態では充分に混合状態にすることができないが、櫛などにとって頭髪に塗る時には液化ガスなどが揮発して液状になり、混合状態で塗布することができる。
【０００３】
他方、１液型の染毛剤も使用されている。１液型の染毛剤の場合は、エヤゾール装置に充填し、スパウトに塗布器具兼用の櫛状の塗布用具を連結したものが用いられている。その櫛状の塗布用具の歯の先端には噴出口が設けられ、噴出口は、歯の内部および歯を支持する支持部を通ってエヤゾール装置のスパウトに連通している。このものはエヤゾール装置を操作して歯の先端から染毛剤を吐出させ、その染毛剤を櫛の歯で頭髪に塗布することができる。このものは１液型であるので、混合する必要はない。
【０００４】
【発明が解決しようとする課題】
前記２液混合型の染毛剤は染毛作用が強い利点がある半面、使用の直前に２液を別々に容器から取り出し、充分に混合する必要がある。そのため手間がかかると共に、手を汚しやすい。そこで本出願人は先に第１液と第２液とを一対のエヤゾール装置に充填し、両方のバルブからの吐出口を１個の共通のスパウトとに連結し、１個のレバーを操作するだけで、両方のエヤゾール装置のバルブを操作し得る２液混合型のエヤゾール装置を提案した（特願平８−２６３４６４号）。このものは２液が共通のスパウト内である程度混在させながら噴出させることができる。そのため混在の程度が高い場合は、そのまま頭髪に塗布する時に、剪断作用により２液を混合しながら塗布することができる。しかしながら２液が層状に別れて吐出することがあり、その場合は、頭髪に塗布しても充分に混合させることができず、頭髪を充分に染毛することができない。
【０００５】
このような問題を解消するため、たとえば２液を充填した一対のエヤゾール装置のスパウトの前に、図１５ａ〜ｄに示すような２液の層状の流れを乱す混在装置１０１ａ〜ｄを設けることが考えられる。図１５ａは通路１０２内にビーズなどの粒状体１０３を多数充填したものである。このものは第１液Ａと第２液Ｂとを入口１０４から供給すると、粒状体１０３の隙間を通るうちに進行方向がランダムに変化し、両方の液Ａ、Ｂの層状の流れが乱され、互いに混ざりながら出口１０５から出てくる。
【０００６】
また図１５ｂの混在装置１０１ｂは、通路１０２内に、その通路を遮るように多数の小孔１０７を形成した隔壁１０８を複数枚設けたものである。このものも、小孔１０７を通るときに層状の流れが乱されて、２液Ａ、Ｂが混在される。また図１５ｃのスプリング状の蛇管１０９を入れた混在装置１０１ｃや、図１５ｄのリング状ないし円盤状の邪魔板１１０を入れた混在装置１０１ｄも同様な作用を奏する。
【０００７】
これらの混在装置１０１ａ〜１０１ｄは、粘度が低い液同士の組み合わせの場合や、粘度が低い液と粘稠液の組み合わせの場合は比較的容易に混在させることができ、場合により混合状態にすることもできる。しかし液が泡状の場合は泡の中に液化ガスが残留しているので充分に流れを乱すことができず、またクリーム状の場合も、粘度が高いので充分に混ざらないという問題がある。
【０００８】
他方、図１６に示すように、先端側が次第に細くなっていく通路１１１を有する混在装置１０１ｅも考えたが、このものは２液間に噴射量や粘度、圧力に差がある場合には充分に混在させることができないので、それらの差をなくすことが求められる。しかし通常のエヤゾール製品では、とくに粘性のある原液の場合は、定量的に噴射させることが困難である。また、内容物の噴射量や出方などは製品圧力に影響されるので、ほとんどコントロールすることができない。そのため図１６の混在装置１０１ｅもエヤゾール装置で２液を噴出させる場合の混在を充分に行わせることができない。
【００１０】
また上記いずれの混在装置を用いても、最終的には櫛やブラシなどの塗布用具を用いて、２液を混合させながら頭髪に塗布する必要があり、面倒である。本発明は、吐出した２液を充分に混在させながら頭髪に塗布することができ、それにより混合状態で塗布し得る２液反応製剤用の塗布用具を提供することを第１の技術課題としている。さらに本発明は、充分な混在作用が得られ、しかも前述の１液型のエヤゾールタイプの塗布装置などと同様の使い勝手が得られる、２液反応製剤用の塗布装置を提供することを第２の技術課題としている。
【００１３】
【課題を解決するための手段】
本発明の２液反応製剤の塗布用具は、混合することにより反応を生ずる第１液と第２液とを混在させた上で頭髪に塗布するための用具であって、支持部と、その支持部の表面から所定の間隔で互いに平行に突出する複数本の歯とを備えており、前記支持部が、第１液を通す第１通路と、第２液を通す第２通路とを有しており、前記複数本の歯が、側面に第1液を噴出する第１開口部を有する第１の歯と、側面に第２液を噴出する第２開口部を有する第２の歯とからなり、第１の歯と第２の歯とが実質的に交互に配列されており、前記第１開口部と第２開口部とが互いに対向しており、前記第１通路が第１開口部と連通し、第２通路が第２開口部と連通していることを特徴としている。
【００１４】
本発明の２液反応製剤の塗布用具の第２の態様は、混合することにより反応を生ずる第１液と第２液とを混在させた上で頭髪に塗布するための用具であって、支持部と、その支持部の表面から所定の間隔で互いに平行に突出する３本以上の歯とを備えており、前記支持部が、第１液を通す第１通路と、第２液を通す第２通路とを有しており、前記支持部の歯と歯の間に、第1液を噴出する第１開口部と、第２液を噴出する第２開口部とが互いに対向するように配列されており、前記第１通路が第１開口部と連通し、第２通路が第２開口部と連通していることを特徴としている。
【００１５】
本発明の２液反応製剤の塗布装置は、前述の塗布用具と、そのバルブが塗布用具の支持部の第１通路と連結される、第１液を充填した第１エヤゾール装置と、そのバルブが塗布用具の第２通路と連結される、第２液を充填した第２エヤゾール装置と、前記第１エヤゾール装置と第２エヤゾール装置のバルブを同時に操作するバルブ操作手段とからなることを特徴としている。
【００１６】
このような２液反応製剤用の塗布装置においては、前記２個のエヤゾール装置が互いに結束されると共に、前記塗布用具がエヤゾール装置の上端近辺に取り付けられており、第１通路が第１エヤゾール装置と連通し、第２通路が第２エヤゾール装置と連通しているものが好ましい。さらに前記塗布用具が各エヤゾール装置に対し、第１通路が第１エヤゾール装置と連通し、第２通路が第２エヤゾール装置と連通するように着脱自在ないし折り畳み自在に取り付けられているものが好ましい。また前記塗布用具がエヤゾール装置に対し、第１通路と第１エヤゾール装置の連通が維持され、第２通路と第２エヤゾール装置の連通が維持される状態で、少なくとも２以上の角度で係止できるように回動自在に連結されているものが一層好ましい。また前記塗布用具の第１通路および第２通路が、それぞれ第１エヤゾール装置および第２エヤゾール装置のバルブと可撓性のチューブを介して連結されている塗布装置が好ましい。
【００２０】
本発明の塗布用具は、第１開口部と第２開口部とが支持部ないし歯の表面に設けられているので、第１開口部から第１液を噴出させ、第２開口部から第２液を噴出させると、両液がぶつかりあい、互いに入り混じり、混在状態で支持部ないし歯の表面に保持される。したがって混在された液をそのまま対象物に塗布することができる。また、２液反応製剤が２液反応性の染毛剤やパーマネント液の場合は、この状態で歯で頭髪を梳くようにすれば、充分に混合させながら２液を頭髪に塗布することができる。
【００２１】
【作用および発明の効果】
第１液を噴出する第１開口部と第２液を噴出する第２開口部を対向するように隣接する歯の側面に設けているため、噴出する第１液と第２液とを互いに正面からぶつからせることができ、充分に混在させることができる。さらに混在状態の２液を隣接する歯の間に保持することができる。また複数本の歯を有し、第１の歯と第２の歯とを実質的に交互に配列しているため、混在させる量が多くなってもきめ細かく混在させうる。さらに、支持部の第１通路と第２通路を歯の第１開口部と第２開口部とに連通させているので、支持部の第１通路と第２通路にそれぞれ第１液と第２液を供給すればよいので、供給が容易である。
【００２２】
一方、本発明の塗布用具の第２の態様は、３個以上の開口部を支持部に実質的に交互に配列しているので、多量の液を混在させることができる。
【００２３】
本発明の塗布装置は、バルブ操作手段でバルブを開くと、第１エヤゾール装置から供給した第１液が支持部の第１通路を通って歯や支持部の第１開口部に供給され、第２エヤゾール装置から供給した第２液が支持部の第２通路を通って歯や支持部の第２開口部に供給される。それにより第１の歯と第２の歯あるいは支持部上で第１液と第２液とが混在した状態で保持される。混合液を頭髪に塗布した後、再びバルブ操作手段を操作すれば、ただちにつぎに使用する混合液が歯や支持部の上でつくられる。したがって手を汚すこともなく、使い勝手がよい。もちろん吐出させながら塗布を続けてもよい。
【００２４】
２個のエヤゾール装置を一体に結束し、両液の通路を確保できるように塗布用具を着脱自在に構成した塗布装置は、エヤゾール装置が一体になっているので取り扱いが容易である。また、２個のエヤゾール装置を結束した上で、塗布用具を直接連結したものは、エヤゾール装置部分を握り柄のようにして使用することができる。その場合、塗布用具を着脱自在ないし折り畳み自在に取り付けると、収納が容易になる。また、少なくとも２以上の角度で係止できるように回動自在に構成すると、頭髪の位置や向きに応じて塗布用具の向きを変えられるので、使い勝手がよい。
【００２５】
【発明の実施の形態】
つぎに図面を参照しながら本発明の塗布用具および塗布装置の実施形態を説明する。図１ａは本発明の塗布用具の一実施形態を示す一部切り欠き側面図、図１ｂはその要部拡大断面図、図２は図１ａのI-I 線断面図、図３ａは本発明の塗布用具の他の実施形態を示す一部切り欠き側面図、図３ｂは図３ａのIII-III 線断面図、図４ａは本発明の塗布用具のさらに他の実施形態を示す一部切り欠き側面図、図４ｂは図４ａのIV-IV 線断面図、図５は本発明の塗布用具のさらに他の実施形態を示す縦断面図、図６は本発明の塗布用具のさらに他の実施形態を示す横断面図、図７ａは本発明の塗布用具のさらに他の実施形態を示す斜視図、図７ｂはその使用状態を示す斜視図、図８は本発明の塗布装置の一実施形態を示す要部正面図、図９はその塗布装置のエヤゾール装置部分の組立前の斜視図、図１０はその塗布装置の一部切り欠き要部正面図、図１１は図１０のXI-XI 線断面図、図１２ａおよび図１２ｂはそれぞれ本発明の塗布装置のさらに他の実施形態を示す要部側面図および要部正面図、図１３ａおよび図１３ｂはそれぞれ本発明の塗布装置のさらに他の実施形態を示す要部正面図および要部側面図、図１４ａおよび図１４ｂはそれぞれ本発明の塗布装置のさらに他の実施形態を示す要部側面図および要部正面図である。
【００２６】
図１ａに示す塗布用具Ｃは、混合することにより染毛作用を生ずる２液混合型染毛剤の第１液（以下、Ａ液という）と第２液（以下、Ｂ液という）とを混合しながら頭髪に塗布するためのものである。この塗布用具Ｃは、基本的には、筒状の支持部１と、その支持部１の一面から互いに平行に突出する歯２とから櫛形に構成されている。支持部１の内部は隔壁４で上下の通路５ａ、５ｂに区画されている（図２参照）。支持部１の開口端部には、各通路と連通する通孔６ａ、６ｂを備えた連結部７が固着されている。
【００２７】
前記の歯２の内、両端を除く歯２は、図１ｂに示すように空洞８を有する筒状になっている。それらの歯２の内、１本おきの歯からなる第１のグループの歯２ａの根元部は、上側の第１通路５ａ内に延びており、その下端ないしその近辺は第１通路５ａ内で開口している。残りの第２のグループの歯２ｂの根元部は、下側の第２通路５ｂ内に延びて、第２通路内で開口している。それぞれの歯２ａ、２ｂの上端は塞がれており、上端からいくらか下方に、隣接する歯に向かうように噴出口（開口部）９ａ、９ｂが設けられている。なおこの実施形態では１本の歯の左右両側に噴出口９（９ａまたは９ｂ）を設けているが、たとえば第１の歯２ａのグループでは、Ａ液を噴出する噴出口９ａを図面上で右側に形成し、残りの第２グループでは、Ｂ液を噴出する噴出口９ｂを左側を向くように形成してもよい。
【００２８】
なおこの実施形態ではすべての歯２が空洞８および噴出口９ａ、９ｂを有するが、塗布用具Ｃの先端側あるいは後端側の３〜４本の歯２にのみ設けるようにしてもよい。噴出口９ａ、９ｂの形状、個数、位置はとくに限定されないが、先端近辺に設けると、髪が伸びてきたときに白髪のままになっている頭髪の根元に塗布しやすい利点がある。噴出口９はスリット状であってもよい。
【００２９】
上記のごとく構成される塗布用具Ｃは、上側の第１通孔６ａからＡ液を供給し、下側の第２通孔６ｂからＢ液を供給すると、上側の第１通路５ａにＡ液が充填され、さらに第１の歯２ａの空洞８内を通り、図１ｂのように噴出口９ａからＡ液が噴出する。また、第２の歯２ｂの噴出口９ｂからはＢ液が噴出する。そのためＡ液とＢ液とが矢印のようにぶつかりあい、中間部分で混在され、その混在している液が歯２ａ、２ｂの間に付着する。したがってその状態でたとえば頭髪を梳くようにすれば、剪断作用により２液が混合され、頭髪に混合済みの染毛剤を簡単に塗布することができる。なおＡ液およびＢ液が液化ガスなどで発泡させたものである場合は、頭髪を梳くときに液化ガスなどが揮発し、原液が残るので、液状で混合される。
【００３０】
前記の混合されるＡ液およびＢ液は、たとえば酸化染毛剤であり、頭髪に塗布する直前に混合して発色させるように、互いに分離している。Ａ液としては、たとえば酸化染料、アルカリ剤、界面活性剤などを配合したものが用いられ、Ｂ液としてはその酸化染料を酸化するための酸化剤を含有するものがある。酸化染料は、たとえばｐ−フェニレンジアミン、ｐ−アミノフェノールなどのパラ成分、ｏ−フェニレンジアミン、ｏ−アミノフェノールなどのオルト成分、あるいはそれらの誘導体などからなる染料中間体（染料前駆体）と、メタ位のフェニレンジアミン、アミノフェノール、多価フェノール類などの、前述の染料中間体との組み合わせにより種々の色調となるカップラーからなる。
【００３１】
アルカリ剤は染毛効果を向上する目的と、さらに毛髪中のメラニン顆粒の酸化分解を同時進行させて明るい色調を得る目的で配合される。また保存中に酸化染料が発色しないようにアルカリ性に維持する働きもある。アルカリ剤としては、アンモニア水、炭酸水素アンモニウム、モノエタノールアミンなどがあげられる。なおＡ液には上記のほか、酸化染料としてのレゾルシン、オレイン酸などの脂油相基剤、ポリオキシエチレン(10)オレイルアルコールエーテルなどの界面活性剤、イソプロピルアルコールなどの可溶化剤、増量のための精製水、酸化防止剤なども配合する。Ａ液のｐＨは通常、８〜１３程度であり、とくに９〜１１の範囲が好ましい。
【００３２】
他方、Ｂ液は、酸化剤としてたとえば３０％の過酸化水素水を使用し、これに精製水および安定化剤などを混合したものなどが用いられる。Ｂ液のｐＨは通常２〜５の程度であり、とくに２〜４の範囲が好ましい。またＡ液およびＢ液には増粘剤を含有させて粘度を調整するのが好ましい。また発泡させるようにしてもよい。それにより噴出させた液が直ちに垂れ流れることがなく、歯２ａ、２ｂの間に安定して保持される。上記のＡ液およびＢ液の処方例を以下の表１に示す。またそれらのエヤゾール処方例を表２に示す。
【表１】
0003960649.tif 000002
【表２】
0003960649.tif 000003
【００３３】
図３ａおよび図３ｂに示す塗布用具Ｃ２は、支持部１内の隔壁４を縦向きにしており、そのため通路５ａ、５ｂは横方向に並ぶように配置される。この場合、連結部７の通孔６は横向きに配列する。このものにおいては、歯２の上端部は図１ｂと同じであるが、下端部は隔壁４と一体になっており、下端からいくらか上側で、側方に向かって開口している。なお連結部７を相手部材に対して回動自在に設ける場合は、通孔６を二重管のように内側と外側に配置し、それぞれを相手部材の供給口にＯリングなどのシール材を介して連結することもできる。
【００３４】
図４ａおよび図４ｂは、歯２を前後方向だけでなく、左右方向にも配列した塗布用具Ｃ３を示している。このものは、いわばブラシ状を呈している。このものは隔壁（図１の符号４）を有さず、支持部１内に前後方向に通した先端が塞がれた細管１０を上下および左右にずらせて４本配列し、それらの細管１０の内部が通路を形成している。そして上側の２本の細管１０でＡ液用の通路５ａを構成し、下側の２本の細管１０でＢ液用の通路５ｂを構成している。したがってそれらの通路５に下端が接続された第１の歯２ａと第２の歯２ｂは、前後方向だけでなく、左右方向にも交互に配列される。なお細管１０は連結部７ではＡ液用およびＢ液用として、それぞれ１本ずつにまとめておくのが好ましい。
【００３５】
このものは各歯２の噴出口９ａ、９ｂを前後方向だけでなく、左右に隣接する歯に向かっても開口させている。そのため各歯２の間で多くの液剤を混合することができる。なおこのブラシ型の塗布用具においても、前後に隣接する歯、あるいは左右に隣接する歯だけに向かって開口させ、噴出口同士を向かい合わせることもできる。
【００３６】
前記実施形態ではいずれも歯２に噴出口９ａ、９ｂを設けているが、図５および図６のように支持部１に直接噴出口９を設けることもできる。図５の塗布用具Ｃ４は、支持部１に第１通路５ａおよび第２通路５ｂを上下に配列し、それらの上端の開口部で構成する噴出口９ａ、９ｂが歯２の間に一対ずつ交互に配列するように構成している。このものは第１通路５ａと連通する縦向きの通路５ｃから噴出するＡ液と第２通路５ｂと連通する縦向きの通路５ｄから噴出するＢ液とが支持部１の表面上に噴出され、その位置で混在する。そして髪を梳くときに泡が消えて液状で混合され、髪を染毛することができる。
【００３７】
図６に示す塗布用具Ｃ５は、支持部１の表面に支持部に沿って深い溝１ａが形成されており、その溝１ａの表面に第１通路５ａと連通する通路５ｃおよび第２通路５ｂと連通する通路５ｄが向かい合うように開口して噴出口９ａ、９ｂを構成している。このものは溝１ａ内にＡ液とＢ液とが噴出され、溝１ａ内で混在する。そして髪を梳くときに混合される。このものも対向する噴出口９ａ、９ｂから噴出するＡ液とＢ液とが勢いよくぶつかるので、充分に混在される利点がある。
【００３８】
図７ａに示す塗布用具Ｃ６は、支持部１の表面にＡ液を吐出する第１噴出口９ａと、Ｂ液を噴出する第２噴出口９ｂとを入り交じるように、それぞれ多数形成している。なおこの図は図４の４列の歯２から噴出させるタイプの塗布用具Ｃ３、あるいは図５の支持部１から噴出させるタイプの塗布用具Ｃ４（ただし歯が４列のもの）において、それぞれ歯の図示を省略したものである。図７ａでは、理解しやすいように歯を省略し、第１噴出口９ａを白丸で示し、第２噴出口９ｂを黒丸で示している。図から解るように、第１噴出口９ａと第２噴出口９ｂをは各縦列ごとに交互に配列し、各横列ごとにも交互に配列している。図７ａの塗布用具Ｃ６からＡ液とＢ液を泡状で噴出させると、図７ｂに示すように、両液がいわば市松模様の混在状態で吐出され、支持部１上に乗る。このように全体としてＡ液とＢ液とがきめ細かく混在しているので、頭髪などに塗布するときに多量の液でも容易に混合させながら塗布することができる。
【００３９】
前述の塗布用具Ｃ、Ｃ２、Ｃ３などの通孔６は、いずれも２本の押し出しチューブなどの容器に接続して、それらに入っているＡ液やＢ液を供給することもできる。しかし以下に説明するように、エヤゾール装置に接続するのが好ましい。図８〜１４はいずれもエヤゾール装置に接続して構成した本発明の塗布装置の実施形態を示している。
【００４０】
図８に示す塗布装置Ｄは、Ａ液を充填した第１エヤゾール装置１１ａと、Ｂ液を充填した第２エヤゾール装置１１ｂとからなる２連エヤゾール装置１１と、その２連エヤゾール装置にチューブ１２で連結された、図１の塗布用具Ｃとから構成されている。第１および第２エヤゾール装置１１ａ、１１ｂは、図９に示すように、容器の上端と弾力的に嵌合する結束部材１３によって結束されている。結束部材１３には、左右に支持突起１４を有するワンタッチキャップ１５が取り付けられる。さらにエヤゾール装置のバルブのステム１６には、図１０に示すような、１個の共通の押しボタン１７が渡し掛けるように取り付けられている。その押しボタン１７はワンタッチキャップ１５によって上下に摺動自在にガイドされている。
【００４１】
さらに左右の支持突起１４の間に現れる押しボタン１７の中央部には、各エヤゾール装置のステム１６と連通する２個の連結管１８が設けられ、それらの連結管１８にチューブ１２の端部が連結されている。なおこの塗布装置Ｄでは、２個のエヤゾール装置のバルブを楽に操作するため、押しボタン１７を操作するレバー１９をワンタッチキャップ１５に対して回動自在に設けている。しかし直接押しボタン１７を操作するようにしてもよい。
【００４２】
エヤゾール装置１１ａ、１１ｂにＡ液あるいはＢ液と共に充填するプロペラントは、従来公知のものをいずれも採用することができ、液化天然ガス、ジメチルエーテル、ジフルオロモノクロロエタン、モノクロロジフルオロメタン、テトラフルオロメタンなどのハイドロフルオロカーボンおよびそれらを混合した液化ガスが用いられ、場合により、二酸化炭素、窒素、空気等の圧縮ガスの使用もありうる。
【００４３】
上記の塗布装置Ｄは、たとえば左手で２連エヤゾール装置１１を保持し、レバー１９に指をかけ、右手で塗布用具Ｃを保持して頭髪に当てる。ついでレバー１９を押すと、押しボタン１７が押し下げられ、左右のエヤゾール装置１１ａ、１１ｂのバルブ（図１０の符号２５）が同時に開弁する。それによりＡ液とＢ液が同時に押しボタン１７内の通路、連結管１８およびチューブ１２を通って塗布用具Ｃの通孔６まで送られる。それによりＡ液とＢ液が塗布用具Ｃの歯２の噴出口から噴出し、歯２の間で混合され、使用に供される。その場合、レバー１９を押している間は連続的にＡ液とＢ液が噴出口から噴出し続け、レバー１９を離すと噴出が止まる。
【００４４】
上記のように２連エヤゾール装置１１を利用した塗布装置Ｄは、頭髪に塗布する直前、あるいは頭髪内で充分に混合することができる。そのため染毛にムラがなく、また事前に２液を混合する必要がない。さらに操作が容易で、ほとんど手が汚れないといる利点がある。
【００４５】
図１２に示す塗布装置Ｄ１は、２連エヤゾール装置１１の押しボタン１７に直接塗布用具Ｃの連結部７を連結したものである。このものは２連エヤゾール装置１１部分を手で握ることができ、その握った状態で押しボタンあるいはレバーの操作をすることができる。そのため、片手で染毛の作業ができ、他方の手で手鏡を持ち、合わせ鏡にしたり、櫛やブラシなどを使用することもできる。
【００４６】
ただしこのように塗布用具Ｃとエヤゾール装置１１とを一体に連結すると、全体に大きくなり、箱詰めや収納が不便である。そのため塗布用具Ｃはエヤゾール装置１１の押しボタン１７に対して着脱自在に取り付けるのが好ましい。その場合、噴射時の圧力で塗布用具Ｃが抜けないように、弾力的に係合する係合要素を設けるのが好ましい。また、図１２に想像線で示すように、塗布用具Ｃをエヤゾール装置１１に対して回動自在に設けるようにしてもよい。その場合は、ロータリジョイントなどの連結具により、２本の通路が互いに漏れないように、シールを維持しながら回転できるように連結する。このようにすると、折り畳んだときに歯２が２本のエヤゾール装置１１ａ、１１ｂの容器の間にくるので、全体をコンパクトに収納することができ、さらに歯２を保護することができる。
【００４７】
また塗布用具Ｃはエヤゾール装置１１の後方に回動させて折り畳むことができるようにしてもよい。さらに塗布用具Ｃをエヤゾール装置１１に対して着脱自在に取り付けると共に、想像線のように一旦外した後に、再び下向き状態で取り付けることができるように構成してもよい。その場合は着脱の手間はかかるが、シールの点で問題が少ない。
【００４８】
図１３は２個のエヤゾール装置１１ａ、１１ｂを縦向きに（前後に）配列した塗布装置Ｄ２を示している。このものも上部を結束部材１３で結束し、その上にワンタッチキャップ１５を被せ、２連エヤゾール装置共通の押しボタン１７の一端に塗布用具Ｃの連結部７を連結している。なおこのものも押しボタン１７の操作を容易にするために、トリガー型のレバー１９を設けている。このものも塗布用具Ｃを折り畳み自在に連結することができ、その場合は、図１２の装置Ｄ１に比して、全体を薄くすることができる。そのため携帯に便利である。
【００４９】
図１４に示す塗布装置Ｄ３はエヤゾール装置１１の正面前側に横向きに塗布用具Ｃを設けたものである。この塗布用具Ｃは支持部１の中央に連結部７を設け、そこから左右にＡ液およびＢ液用の通路を延ばしている。このものはたとえば他人の頭髪の染毛を行う場合にエヤゾール装置の容器部分を持って操作し易い。このものも押しボタンに対して着脱自在に連結するのが好ましい。さらに想像線で示すように、左右のいずれかに９０゜あるいはそれ以上回転できるように構成してもよい。それにより、図１２の塗布装置Ｄ１と同じ使い方も可能である。また任意の角度で止まるように、デテント機構（弾力的に係止できる機構）を設けるようにしてもよい。
【００５０】
前記の塗布装置はいずれもワンタッチキャップを設けているが、２本のエヤゾール装置のステムに直接、好ましくは着脱自在に、塗布用具の連結部を連結するようにしてもよい。さらに図示は省略するが、図１１のチューブ１２で連結するタイプの塗布装置Ｄの塗布用具Ｃを、図１２〜１３のように、エヤゾール装置に対して着脱自在に固定する固定機構を設けるようにしてもよい。その場合、塗布用具Ｃを固定するときにチューブ１２を収納する収納部を設けると、使い勝手がよくなる。
【図面の簡単な説明】
【図１】  図１ａは本発明の塗布用具の一実施形態を示す一部切り欠き側面図であり、図１ｂはその要部拡大断面図である。
【図２】  図１ａのI-I 線断面図である。
【図３】  図３ａは本発明の塗布用具の他の実施形態を示す一部切り欠き側面図であり、図３ｂは図３ａのIII-III 線断面図である。
【図４】  図４ａは本発明の塗布用具のさらに他の実施形態を示す一部切り欠き側面図であり、図４ｂは図４ａのIV-IV 線断面図である。
【図５】  本発明の塗布用具のさらに他の実施形態を示す縦断面図である。
【図６】  本発明の塗布用具のさらに他の実施形態を示す横断面図である。
【図７】  図７ａは本発明の塗布用具のさらに他の実施形態を示す斜視図であり、図７ｂはその使用状態を示す斜視図である。
【図８】  本発明の塗布装置の一実施形態を示す要部正面図である。
【図９】  図８の塗布装置のエヤゾール装置部分の組立前の斜視図である。
【図１０】  図８の塗布装置の一部切り欠き要部正面図である。
【図１１】  図１０のXI−XI線断面図である。
【図１２】  図１２ａおよび図１２ｂはそれぞれ本発明の塗布装置のさらに他の実施形態を示す要部側面図および要部正面図である。
【図１３】  図１３ａおよび図１３ｂはそれぞれ本発明の塗布装置のさらに他の実施形態を示す要部正面図および要部側面図である。
【図１４】  図１４ａおよび図１４ｂはそれぞれ本発明の塗布装置のさらに他の実施形態を示す要部側面図および要部正面図である。
【図１５】  図１５ａ、図１５ｂ、図１５ｃ、図１５ｄはそれぞれ２液混在方法の参考例である。
【図１６】  ２液混在方法の他の参考例である。
【符号の説明】
Ａ  第１液（Ａ液）
Ｂ  第２液（Ｂ液）
Ｃ  塗布用具
１  支持部
２ａ  歯
２ｂ  歯
４  隔壁
５ａ、５ｂ、５ｃ、５ｄ  通路
７  連結部
９、９ａ、９ｂ  噴出口
Ｃ２  塗布用具
Ｃ３  塗布用具
Ｃ４  塗布用具
Ｃ５  塗布用具
Ｃ６  塗布用具
１０  細管
Ｄ  塗布装置
１１  エヤゾール装置
１２  チューブ
Ｄ１  塗布装置
Ｄ２  塗布装置
Ｄ３  塗布装置
【図１】
0003960649.tif 000004
【図２】
0003960649.tif 000005
【図３】
0003960649.tif 000006
【図４】
0003960649.tif 000007
【図５】
0003960649.tif 000008
【図６】
0003960649.tif 000009
【図７】
0003960649.tif 000010
【図８】
0003960649.tif 000011
【図９】
0003960649.tif 000012
【図１０】
0003960649.tif 000013
【図１１】
0003960649.tif 000014
【図１２】
0003960649.tif 000015
【図１３】
0003960649.tif 000016
【図１４】
0003960649.tif 000017
【図１５】
0003960649.tif 000018
【図１６】
0003960649.tif 000019